Podtech/llm-jp-corpus-v4-ja_patent huggingface dataset:
(57)【要約】      （修正有）【課題】ネクタイ芯地本体へ、柔軟性に対し、異なる硬度を組み合わせた事により、均整の取れた、えくぼ等のおしゃれを容易に形成可能にするネクタイ生地の提供。【解決手段】ネクタイ芯地は、ネクタイ生地（外装用布地）に包囲、組み合わせて利用するが、ａの部位（ネクタイ芯地本体）へ、ｂの部位（硬い部位）を設ける事により、１本のネクタイ芯地が、柔軟性に対し、異なる硬度を組み合わせた事になり、ネクタイ締め付けの際、ネクタイ締め付け部の直下部において、えくぼ等のおしゃれを、均整の取れた形成にするのに役立つ。【選択図】図１
0003122186.tif 000002
【実用新案登録請求の範囲】
【請求項１】
ネクタイに用いられるネクタイ芯地において、ネクタイ芯地本体へ柔軟性の異なる硬い部位を設けることにより、柔らかい部位と硬い部位を、１本のネクタイ芯地に異なる硬度を組み合わせた構造を特徴とするネクタイ芯地。
【請求項２】
１本のネクタイ芯地に異なる硬度を組み合わせた構造を特徴とする請求項１記載のネクタイ芯地において、硬い部位の全体形状はネクタイ芯地本体へ仮に中心線を引いた際に、中心線に対して対象形状であり、また、硬い部位の単体形状は、長方形状で、中心線に対して斜めに多数配列した形状を有するネクタイ芯地。
【請求項３】
上記請求項１及び２に記載のネクタイ芯地は、ネクタイ生地（外装用布地）により包囲、組み合わされ、ネクタイとなる構造を有するネクタイ芯地。
【考案の詳細な説明】
【技術分野】
【０００１】  本考案は、柔軟性に対し、柔らかい部位と硬い部位を１本のネクタイ芯地に組み合わせた構造を特徴とするネクタイ芯地に関するものである。
【背景技術】
【０００２】  ネクタイを締める際、締め付け部の直下部へ、えくぼ等のおしゃれを実施する際、均整の取れた形成にするのが困難である。
【考案の開示】
【考案が解決しようとする課題】
【０００３】  ネクタイ締め付け部の直下部の、えくぼ等のおしゃれを実施するのに困難し、不均整なえくぼで締め付けたり、えくぼをあきらめていた、ゆえに、ネクタイ芯地へ、えくぼ等を形成し易くする構造を設けることにより、ネクタイ締め付けの際、均整の取れた、えくぼ等のおしゃれを容易に形成可能になり、前述の欠点を解決しようとするものである。
【課題を解決するための手段】
【０００４】  本考案は、ネクタイ芯地本体へ、柔軟性に対し、硬い部位を設けることにより、柔らかい部位、硬い部位、と異なる硬度を組み合わせた構造を特徴とする芯地であり、硬い部位の全体形状は芯地の長手方向へ仮に中心線を引いた際に、中心線に対し、対象の形状とし、えくぼ等のおしゃれを実施する際、均整の取れた形成にするのに役立つ、また、硬い部位の単体形状は、長方形状であり、中心線に対し、斜めに多数配列し、えくぼ等のおしゃれを実施した際に、えくぼ部とその下方部との境を、なめらかな曲面に形成するのに役立つ、この様に、１本のネクタイ芯地に柔軟性の異なる硬度を組み合わせた構造を特徴とするネクタイ芯地をネクタイ生地（外装用布地）へ包囲、組み合わせる事により、問題点を解決している。
【考案の効果】
【０００５】  上述の様に、本考案の柔軟性に対し柔らかい部位、硬い部位、と異なる硬度を組み合わせたネクタイ芯地は、ネクタイ生地（外装用布地）に包囲、組み合わせた後、ネクタイ締め付けの際に、均整の取れたえくぼ等を形成するのに役立つ。
【考案を実施するための最良の形態】
【０００６】  ネクタイ芯地本体へ、柔軟性に対し、硬い部位を設けることにより、柔らかい部位、硬い部位、と異なる硬度を組み合わせた芯地であり、硬い部位の全体形状は、仮に長手方向に中心線を引いた際に対象形状とし、硬い部位の単体形状は、長方形状であり、中心線に対し斜めに多数配列した形状とする、この柔軟性に対し、異なる硬度を組み合わせた構造を特徴とするネクタイ芯地をネクタイ生地（外装用布地）に包囲、組み合わせる事により、均整の取れた、えくぼ等のおしゃれを容易に実施可能となる。
【実施例】
【０００７】  以下添付図面に従って、一実施例を説明する、ａは木綿等の厚みのある繊維質材を用いたネクタイ芯地本体である（柔らかい部位）、ｂは、ゴム等の弾性質材を用いた部位（硬い部位）である。【０００８】  上述記載のネクタイ芯地は、ネクタイ生地（外装用布地）に包囲、組み合わされ、ネクタイとなる。
【産業上の利用可能性】
【０００９】  本考案の一実施例は、上述の構成からなるものであるから、ネクタイ芯地をネクタイ生地（外装用布地）に包囲、組み合わせて利用することは勿論である、また、えくぼ等のおしゃれが容易に実施可能なネクタイ芯地として利用する。
【図面の簡単な説明】
【００１０】
【図１】本考案の、柔軟性に対し、異なる硬度を組み合わせたネクタイ芯地の正面図である。
【符号の説明】
【００１１】  ａ．ネクタイ芯地本体（柔らかい部位）
ｂ．ゴム等の弾性質材を用いた硬い部位
【図１】
0003122186.tif 000003
【手続補正書】
【提出日】平成18年3月2日(2006.3.2)
【手続補正１】
【補正対象書類名】実用新案登録請求の範囲
【補正対象項目名】請求項３
【補正方法】変更
【補正の内容】
【請求項３】
上記請求項１または２に記載のネクタイ芯地は、ネクタイ生地（外装用布地）により包囲、組み合わされ、ネクタイとなる構造を有するネクタイ芯地。
(57)【要約】      （修正有）【課題】造花の花、花びら等の材料に発光繊維織物（光ファイバー織物など）を用い、暗い場所でも見て取れる造花を提供する。【解決手段】造花の花、花びら等の材料に発光繊維織物（光ファイバー織物など）を用い、その先に電球や発光ダイオードを繋げ、花・花びら自体を光らせる事により暗闇でも見える造花となる。また、その上にスパンコールやラインストーン、ガラス・クリスタル・プラスチック等の材料からなるビーズ、同様の材料からなる装飾品を施す事により、光をより反射・拡散させ、暗闇でも更に目立つものとなり、一層問題点を解決する。【選択図】図１
0003122183.tif 000002
【実用新案登録請求の範囲】
【請求項１】
造花の花・花びら部に発光繊維織物（光ファイバー織物など）を用いる。
【請求項２】
発光繊維織物（光ファイバー織物など）にスパンコールやラインストーン、ガラス・クリスタル・プラスチック等の材料からなるビーズ、ガラス・クリスタル・プラスチック等の材料からなる装飾品を施す。
【請求項３】
花芯部に  光ファイバーを用いる。
【請求項４】
発光繊維織物（光ファイバー織物など）や光ファイバーの端にガラス・クリスタル・プラスチック等の素材を付ける。
【請求項５】
発光繊維織物（光ファイバー織物など）で作られた花びらの形を保つ為に  花びらに針金等で芯を入れる。
【請求項６】
発光繊維織物（光ファイバー織物など）や発光繊維（光ファイバー繊維など）を用いて作られた造花を使い、ブーケやコサージュなどといった装飾品にする。
【請求項７】
発光繊維織物（光ファイバー織物など）や発行繊維（光ファイバー繊維など）の先に電球や発光ダイオードを繋げ、花、花びら自体を光らせる。
【考案の詳細な説明】
【技術分野】
【０００１】  本案は  花・花びらに発光繊維織物（光ファイバー織物など）を用いた造花に関するものである。
【背景技術】
【０００２】  造花の花や花びらの材料は光る素材ではなく、暗い場所では見えなかった。
【考案の開示】
【考案が解決しようとする課題】
【０００３】  造花の花や花びらの材料に発光繊維織物（光ファイバー織物など）を用いる事により、造花そのものが輝きを放つ。この事により暗い場所でも見て取れる造花となり前述の欠点を解決しようとするものである。
【課題を解決するための手段】
【０００４】  本考案は、造花の花、花びら等の材料に発光繊維織物（光ファイバー織物など）を用い、その先に電球や発光ダイオードを繋げ、花・花びら自体を光らせる事により暗闇でも見える造花となり、問題点を解決している。また、その上にスパンコールやラインストーン、ガラス・クリスタル・プラスチック等の材料からなるビーズ、同様の材料からなる装飾品を施す事により、光をより反射・拡散させ、更に暗闇でも目立つものとなり、一層問題点を解決する。
【考案の効果】
【０００５】  上述のように本考案の発光繊維織物（光ファイバー織物など）で作られた造花は、明るい場所では勿論、暗い場所でも造花自体が光り輝き目で見えるので、明るさや場所を選ばず、造花としてだけでなく、コサージュ、ブーケと言った飾りとしても広く使用する事ができる。
【考案を実施する為の最良の形態】
【０００６】  造花の花・花びらや花芯などに発光繊維織物（光ファイバー織物など）や発光繊維（光ファイバー繊維など）を用いる。そして端に光源（電球や発行ダイオードなど）を繋げ、花そのものが光るようにする。また、光をより際立たせる為に、発光繊維織物（光ファイバー織物など）や発行繊維（光ファイバー繊維など）に、スパンコールやラインストーン、ガラス・クリスタル・プラスチック等の材料からなるビーズ、同様の材料からなる装飾品を施す。
【実施例】
【０００７】  以下、添付図面（写真）に従って一実施例を説明する。１は花びらで、光ファイバー織物で作られている。２は光を光ファイバー織物の上に施したビーズやラインストーンである。３は花芯部に使った光ファイバー織物で、その先端にもクリスタルの飾りを付けている。４は光源として取り付けた発光ダイオードである。
【産業上の利用可能性】
【０００８】造花としてだけでなく、コサージュやブーケ、その他装飾品として利用可能性がある。
【図面の簡単な説明】
【０００９】
【図１】本考案の発光繊維織物（光ファイバー織物）で作られた造花の実施例を示す正面図である。
【図２】本考案の発光繊維織物（光ファイバー織物）で作られた造花の実施例を示す側面図である。
【符号の説明】
【００１０】  １  花びら（発光繊維織物で作られたもの）
２  ビーズやラインストーン
３  光ファイバー
４  光源（発光ダイオードや電球）
【図１】
0003122183.tif 000003
【図２】
0003122183.tif 000004
【手続補正書】
【提出日】平成18年2月7日(2006.2.7)
【手続補正１】
【補正対象書類名】実用新案登録請求の範囲
【補正対象項目名】全文
【補正方法】変更
【補正の内容】
【実用新案登録請求の範囲】
【請求項１】
造花の花・花びら・花芯部分に光ファイバー織物（発光繊維織物）を用い、花・花びら・花芯自体を光らせた事を特徴とする造花。
(57)【要約】【課題】車輪の取付、取り外しの使用に便利で、緩みにくく安全に取り付けることができる自転車の車輪取付構造を提供する。【解決手段】スクリュー桿、定位ブロック、カバー、偏心孔を有する固定柄より構成し、該定位ブロックとカバーを嵌合して一体化し、またスクリュー桿と固定柄を枢設して一体化することにより、該スクリュー桿を緩めたり、きつく締めたりすることができるようにすると同時に、自転車が震動を受けても緩むことがないようにした。【選択図】  図４
0003122166.tif 000002
【実用新案登録請求の範囲】
【請求項１】
一端にスプリングとナットとを連結したスクリューを有するスクリュー桿により構成される自転車の車輪取付構造において、
前記スクリュー桿の一方端に別のスプリングとカバー、並びに円弧溝及び連結リングを有する定位ブロックが設けられ、該定位ブロックの連結リングを固定柄の偏心孔中に設置し、
前記スクリュー桿の他方端にリベットホールを有するコネクタを設け、該コネクタを前記定位ブロックの連結リング中に設置し、更にリベットを前記固定柄の偏心孔、コネクタのリベットホールに嵌入することで該固定柄と定位ブロックの連結リング、スクリュウ桿のコネクタが枢設されて一体化することを特徴とする自転車の車輪取付構造。
【請求項２】
スプリングとナットを設置して一端にスクリューを有するスクリュー桿により構成される自転車の車輪取付構造において、
前記スクリュー桿の一端にスプリング、カバー、円弧溝と連結リングを有する定位ブロックが設けられ、該定位ブロックの連結リングを固定柄の偏心孔中に設置し、
前記カバー内壁に嵌合溝を設け、前記定位ブロックの一端の外周に嵌合フランジを設け、該嵌合フランジと前記嵌合溝とを相互に嵌合させ、前記定位ブロックと前記カバーとを一体にしたことを特徴とする自転車の車輪取付構造。
【考案の詳細な説明】
【技術分野】
【０００１】
本考案は、自転車の車輪取付構造に係り、特にスクリュー桿、カバー、定位ブロック、固定柄を設け、該スクリュー桿の一端を前記固定柄と枢設することで一体化することによって、震動による緩みが生じることなく安全に車輪を取付ることができる自転車の車輪取付構造に関する。
【背景技術】
【０００２】
従来の自転車の車輪取付構造としては、図１，２に示すように、スクリュー桿１０とスプリング１１、ナット１２、カバー１３、円弧溝１４０を有する定位ブロック１４、偏心孔１７を有する固定柄１６、並びに嵌合部１５により構成されるものが提案されている。
【０００３】
この従来の自転車の車輪取付構造は、使用時においては一端に設けられたナット１２を外し、上記スクリュー桿１０をフォーク１９、輪軸１８に挿通し、更に上記ナット１２により螺設固定する。そして、最後に、上記固定柄１６を回し、偏心孔１７によりスクリュー桿１０が引き寄せられて堅牢に螺設固定するようになっている。
【考案の開示】
【考案が解決しようとする課題】
【０００４】
しかしながら、上述のような従来における構造においては、以下のような欠点がある。
【０００５】
前記定位ブロックにカバーが被されても、連結して一体にはなっておらず、よって外れる可能性があり、また使用時に装着しなければならないことが不便である。
【０００６】
また、前記スクリュー桿と固定柄の連結においても、該スクリュー桿は嵌合部のホールに螺設固定されるのであり、震動等のショックを受けた際、前記スクリュー桿と嵌合部との連結が緩み、外れる危険性もある。
【０００７】
本考案はこれらの事情に鑑みてなされたもので、簡単に取付、取り外しができて使用に便利であると共に、緩みにくく安全に取り付けることができる自転車の車輪取付構造を提供することを目的とする。
【課題を解決するための手段】
【０００８】
一端にスクリューを有し、スプリングとナットが設置されるスクリュー桿より構成し、該スクリュー桿の他方端にスプリングとカバー、並びに円弧溝と連結リングを有する定位ブロックを設け、該定位ブロックの連結リングを固定柄の偏心孔中に設置する。前記スクリュー桿のスクリューを具有しない側にリベットホールを有するコネクタを設け、該コネクタを定位ブロックの連結リング中に設置し、更にリベットを固定柄の偏心孔、コネクタのリベット孔に嵌入し、該固定柄と該定位ブロックの連結リング、スクリュー桿のコネクタとを枢設して一体化する。また、カバー内壁に更に嵌合溝を設け、前記定位ブロックの一端の外周に嵌合フランジを設けることにより、該嵌合フランジと該嵌合溝とを嵌合することで該定位ブロックと該カバーとを一体化する。
【考案の効果】
【０００９】
本考案によると、使用の際にわざわざ設置する必要がなく、また簡単な構造により自転車が震動などのショックを受けても緩みにくく安全であるといった効果を有する。
【考案を実施するための最良の形態】
【００１０】
以下、図面を参照して本考案の実施例を説明する。
【実施例】
【００１１】
本考案の一実施例における自転車の車輪取付構造は、スクリュー桿１０とコネクタ１０１とを、スプリング１１、カバー１３、定位ブロック２０、連結リング２２中に挿入し、前記定位ブロック２０の連結リング２２を固定柄１６の偏心孔１７中に挿入配置し、前記コネクタ１０１のリベットホール１０２と前記固定柄１６の偏心孔１７とを連通状態として、リベット１６０を固定柄１６の偏心孔１７に嵌入固定し、前記固定柄１６、円弧溝２１を有する定位ブロック２０、並びにカバー１３、スプリング１１、コネクタ１０、スクリュー桿１０が枢設されて一体化される。
【００１２】
本実施例の車輪取付構造を使用する際は、図４に示すように、スクリュー桿１０をフォーク１９、輪軸１８に挿通して螺設することで一体化する。
【００１３】
使用する際にわざわざ装着する必要をなくすべく、前記定位ブロック２０には嵌合フランジ２３が、カバー１３には環状溝１３０が設けられ、これらを相互に嵌合することで定位ブロック２０とカバー１３とを一体にする。
【００１４】
また、震動などのショックを受けた際に緩みにくい構造として安全性を高めるべく、前記スクリュー桿１０にはコネクタ１０１が、前記定位ブロック２０には連結リング２２が設けられ、且つリベット１６０により堅牢に固定することで、スクリュー桿１０と固定柄１６との連結を緩みにくい（スクリューによる螺設ではなく）枢設により定位する。
【図面の簡単な説明】
【００１５】
【図１】従来の構造における立体分解図である。
【図２】従来の構造における使用状態を示す断面図である。
【図３】本考案の一実施例における立体分解図である。
【図４】本実施例における組み立て後の使用状態を示す断面図である。
【符号の説明】
【００１６】
１０  スクリュー桿
１１  スプリング
１２  ナット
１３  カバー
１４、２０  定位ブロック
１５  嵌合部
１６  固定柄
１７  偏心孔
１８  輪軸  
１９  フォーク
１４０、２１  円弧溝
２２  連結リング
２３  嵌合フランジ  
１０１  コネクタ
１０２  リベットホール
１３０  嵌合溝
１６０  リベット
【図１】
0003122166.tif 000003
【図２】
0003122166.tif 000004
【図３】
0003122166.tif 000005
【図４】
0003122166.tif 000006
(57)【要約】【課題】  パチンコ店での肩こりやストレス解消手段として、店内にマッサージ室を設け、短い時間で疲労を回復させリラックスした気持で遊戯を続けられることを目的とする。【解決手段】  パチンコホールに僅かなスペースを設け、ここにマッサージ室Ａを設置し、専用のマッサージを行う人材を待機させて置き、５〜１５分間の短い時間でマッサージを行い、リラックスした気持で遊戯を続行する。【選択図】    図１
0003122030.tif 000002
【実用新案登録請求の範囲】
【請求項１】
パチンコホール内に僅かの空間を設け、該空間内に医療施設用のマッサージチェアを設置し、このマッサージチェアの周囲を仕切壁で囲ってマッサージ室Ａとしたことを特徴としたパチンコホールの構造。
【考案の詳細な説明】
【技術分野】
【０００１】
本考案は、パチンコ店で遊戯をする者が長時間固い椅子に座って夢中になってパチンコやスロットマシンを打ち続けている者にたまる肩こりやストレスを解消させるために店内にマッサージ室を設けたパチンコホールの構造に関する。
【背景技術】
【０００２】
パチンコ店に設置されているパチンコ遊戯機やスロットマシン機では、使用者は固い椅子に着座したまま同じ姿勢で同じ動作を繰り返すため肩こりが生じ易く、また勝負の影響でストレスがたまる傾向にある。
【特許文献１】特開２００３−３１０７０９号公報
【考案の開示】
【考案が解決しようとする課題】
【０００３】
このような肩こりやストレスを解消するために遊戯者は遊戯中に手を休め背伸びをしたり、タバコに手を出したりして気をまぎらわす行動をとっている。このため前記特許文献にみられるように椅子自体にマッサージ機能を付したパチンコ用の椅子が開発されている。
【課題を解決するための手段】
【０００４】
最近のパチンコ店は大規模化して５００〜１０００台のパチンコ台を配置した大型店があり、この店のそれぞれのパチンコ台に、このような高価なマッサージチェアを配置した場合きわめて高額な設備費となるおそれがある。
【０００５】
考案者はこの点に鑑み鋭意研究を続けた結果本考案に到達したものであって、本考案は、パチンコ店内に僅かなスペースを作り、この場所にクイックマッサージ室を設けることによって、客はわずかな時間を作り、このマッサージ室で体をほぐしてもらい、リラックスした体となって新しい気持で、パチンコやスロットマシンに挑戦できる。
【考案の効果】
【０００６】
この考案に配設するマッサージ室には、医療用のマッサージ椅子と専門のマッサージを行う人材を待機させておく。このようにして５〜１５分位の短時間でマッサージを行うため、遊戯者は少しの休憩と心身のリラックスを得て爽快な気持で以後の遊戯に夢中になれるという効果が得られる。
【実施例】
【０００７】
添付図面により本考案のパチンコ店の構造を説明すると、図１は本考案のパチンコ店の平面図を示していて、図はパチンコホールであって図中のＰは配列されているパチンコ台や又はスロットマシンを示している。Ａはホールの僅かな空間に設けたマッサージ室を示している。
【０００８】
図２はマッサージ室Ａの内部を示す断面図であり、この室内には医療用のマッサージ椅子Ｍを配置し、このマッサージ室Ａ内には図示していないが専門のマッサージを行う人材を配していて、５〜１５分の短い時間でマッサージを行うこととする。
【０００９】
このマッサージ室Ａは畳一帖程度の広さで十分であるため、パチンコホールの床面積には大した影響もなく、店はマッサージ室Ａを設けることによって他店には比較できない高級感が有り新規な店として高い評価が得られる。
【産業上の利用可能性】
【００１０】
上述のように本考案のパチンコホールは、パチンコ店にマッサージ室を併設することによって、パチンコをより楽しくすることができるため、パチンコ店のイメージを高めることができ店の評判を高め、この利用可能性は大きい。
【図面の簡単な説明】
【００１１】
【図１】パチンコホールの平面図
【図２】マッサージ室の断面図
【符号の説明】
【００１２】
Ａ  マッサージ室
Ｐ  パチンコ台列
Ｋ  景品交換所
Ｍ  医療用マッサージ椅子
【図１】
0003122030.tif 000003
【図２】
0003122030.tif 000004
(57)【要約】      （修正有）【課題】スクリュー羽根とケーシングの間隙に紙おしぼり等が詰まってしまうことを可及的に防止できる吸殻自動回収装置を提供する。【解決手段】複数の遊技機から成る遊技機群のカウンターの下部にスクリューコンベアを設置することで成る吸殻自動回収装置において、スクリューコンベアを構成するケーシングの長手方向に突起レールを設けた。【選択図】図１
0003122027.tif 000002
【実用新案登録請求の範囲】
【請求項１】
複数の遊技機から成る遊技機群のカウンターの下部にスクリューコンベアを設置することで成る吸殻自動回収装置において、
スクリューコンベアを構成するケーシングの長手方向に突起レールを設けたことを特徴とする吸殻自動回収装置。
【考案の詳細な説明】
【技術分野】
【０００１】
本発明はパチンコ店等に設置される吸い殻自動回収装置に関する。
【背景技術】
【０００２】
パチンコ店等においては従業員の労力軽減等のため、スクリューコンベアを用いた吸い殻自動回収装置を設置することがある。
【０００３】
係る吸い殻自動回収装置の構造を図６及び図７を参照しながら述べる。ここに図６はスクリューコンベアを用いた吸い殻自動回収装置を設けた遊技機群の斜視図であり、図７はカウンターとスクリューコンベアの関係を示す説明図である。
【０００４】
パチンコ機やスロットマシーン機といった遊技機を複数連設して構成される遊技機群１前方のカウンター２に、貫通孔たる吸い殻落下通路３を設ける。この落下通路３には灰皿４が嵌め込んである。この灰皿４には底部に吸い殻を通すことが可能な径を有する孔部４ａが設けてある。
【０００５】
又カウンター２の下部にはケーシング５内に収容されたスクリューコンベア６が配設されており、孔部４ａから落下した吸い殻を搬送し、回収箱に回収していくものである。
【０００６】
又スクリューコンベアを用いた吸い殻自動回収装置に関する特許文献としては特開平９−３８３３０号公報や特開平１０−３３８２６号公報がある。
【特許文献１】特開平９−３８３３０号公報
【特許文献２】特開平１０−３３８２６号公報
【考案の開示】
【考案が解決しようとする課題】
【０００７】
パチンコ店等においてはサービスとして紙おしぼりや布おしぼりが提供されることがある。ところが遊技者がまれにこの紙おしぼりや紙おしぼりを収納するビニル袋、布おしぼり等を、前述の灰皿４に設けた孔部４ａからケーシング５内に押し込むことがある。
【０００８】
ケーシング５内に落下した紙おしぼり等はスクリューコンベア６により回収容器に向けて搬送されていくが、紙おしぼり等は細長い形状を有するがゆえに、スクリュー羽根６ａとケーシング５の間隙に詰まってしまうことがある。かように詰まってしまった紙おしぼり等は搬送されていくことなく、更にはこの搬送されないおしぼり等が吸殻の搬送の支障になり、吸殻が詰まることに至ることもある。かような状態に至ると当該箇所から煙が発生するなど遊技者に不安感を与えることになり、又最悪の場合火災の原因にもなりかねない。
【０００９】
そこで本考案はスクリュー羽根とケーシングの間隙に紙おしぼり等が詰まってしまうことを可及的に防止できる吸殻自動回収装置を提供することを目的とする。
【課題を解決するための手段】
【００１０】
上記課題を解決するために本考案は、複数の遊技機から成る遊技機群のカウンターの下部にスクリューコンベアを設置することで成る吸殻自動回収装置において、スクリューコンベアを構成するケーシングの長手方向に突起レールを設けた。
【考案の効果】
【００１１】
以下上述のように構成される本考案がいかにして課題を解決する作用を有するかを図面を参照しながら述べる。
【００１２】
図１は本考案の一部破断正面図であり、図２は同じく平面図であり、図３は図１におけるＡ−Ａ線拡大断面図であり、図４は使用状態を示す説明図であり、図５は全体構成を示す説明図である。尚、図２においてはケーシング２０内を可視的にするためカウンター２を省略してある。
【００１３】
本考案に係る吸殻自動回収装置は、図１乃至図３に示されるようにケーシング２０内にスクリュー部１０が配設されて成るものである。そしてこのケーシング２０には長手方向に突起レール２１が設けてある。
【００１４】
そしてスクリュー部１０の回転に伴い図４に示すように、スクリュー羽根１０aとケーシング２０との間隙に詰まった紙おしぼり等３０が突起レール２１により引き剥がされていくものである。
【００１５】
かようにして本考案によればスクリュー羽根とケーシングの間隙に紙おしぼり等が詰まってしまうことを可及的に防止できる吸殻自動回収装置を提供することが可能となるのである。
【考案を実施するための最良の形態】
【００１６】
以下好ましい考案の一実施形態につき述べる。尚、従来例と同様の部分については従来例に関する図面、符号を用いて解説するものとする。
【００１７】
本発明に係る吸い殻自動回収装置は、図６に示されるような通常島と呼ばれる遊技機群1の前方に設けられたカウンター２の下部に配設されるものである。カウンター２には各遊技機に対応して灰皿４が複数設けられている。又カウンター２の下部にはスクリューコンベアを収納するためのケーシング５(本考案でいえばケーシング２０、以下同様）が取り付けられている。
【００１８】
カウンター２には図７に示すように貫通孔たる吸い殻落下通路３が設けられており、灰皿４が嵌め込まれている。該灰皿４の底部には吸い殻を通すことが可能な大きさの孔部４ａが設けられている。吸い殻は孔部４aからケーシング５内に落下していくものである。
【００１９】
ケーシング２０は図３に示すようにスクリュー羽根１０ａの外周より若干大きめの断面が円弧形状をなす部分を有する筒状体であり、取り付けフランジ２０ａによりカウンター２の下面に固定されるものである。ケーシング２０には図１乃至図３に示されるようにそのスクリュー部１０収納側に凸状のレールたる突起レール２１が長手方向に設けられている。
【００２０】
図５に示すようにケーシング２０の開口縁部側には吸殻等を回収するための回収容器７が設置されている。
【００２１】
ケーシング２０内に配設されたスクリュー部１０はスクリューシャフト１０ｂにスクリュー羽根１０ａを設けてなるものである。一方端部は駆動シャフト１３と連結されている。駆動シャフト１３はモータ１２を構成するモータ軸１２ａにより回転駆動されるものであり、これによりスクリューコンベア１０は回転するものである。
【図面の簡単な説明】
【００２２】
【図１】本考案の一部破断正面図。
【図２】同じく平面図。
【図３】図１におけるＡ−Ａ線拡大断面図。
【図４】使用状態を示す説明図。
【図５】全体構成を示す説明図。
【図６】スクリューコンベアを用いた吸い殻自動回収装置を設けた遊技機群の斜視図。
【図７】カウンターとスクリューコンベアの関係を示す説明図。
【符号の説明】
【００２３】
２０・・ケーシング      ２１・・突起レール
【図１】
0003122027.tif 000003
【図２】
0003122027.tif 000004
【図３】
0003122027.tif 000005
【図４】
0003122027.tif 000006
【図５】
0003122027.tif 000007
【図６】
0003122027.tif 000008
【図７】
0003122027.tif 000009
(57)【要約】【課題】  マイクロコアレスモータの電機子の部品点数・組立工数を減らし、安価に製造出来る構造を考案する。【解決手段】  マイクロコアレスモータの電機子の整流子片を、接点部とは反対の面に絶縁処理膜を施し、絶縁された整流子片を直接金属ワッシャーとシャフトで組み立て、樹脂コア材を削除することを実現する。【選択図】      図２
0003122052.tif 000002
【実用新案登録請求の範囲】
【請求項１】
コイルとシャフトと金属ワッシャーと整流子片と整流子片を固定する樹脂リングで構成された電機子において、前期整流子片を接点部とは反対の面に絶縁処理膜を施し、金属ワッシャーでコイルを保持することを特徴とするマイクロコアレスモータの電機子構造。
【考案の詳細な説明】
【技術分野】
【０００１】
本考案は、マイクロコアレスモータの電機子構造に関し、部品点数・組立工数を減らし、かつ組立作業を容易にし、安価に製造出来る構造を提供することに関する。
【背景技術】
【０００２】
図１に従来技術のマイクロコアレスモータの電機子１を示す。図中１は電機子、２はコイル、３はシャフト、４は金属ワッシャー、５は整流子片、６は樹脂コア材で構成されている。
【０００３】
図１を用い従来のマイクロコアレスモータの電機子１を説明する。ステンレスで出来たシャフト３に、ステンレス等をプレス加工した金属ワッシャー４を圧入し、前記シャフト３と前記金属ワッシャー４を圧入した部品に樹脂コア材７を接着剤などで固定する。次に前記樹脂コア材７に整流子片５を配置し、樹脂リング６で圧入固定し、コイル２を接着し、前記コイル２の各端末をそれぞれ前記整流子片５に溶接または半田作業等にて組み付けている（例えば、特許文献１参照）。
【特許文献１】特許第３３２１６１０号（第5頁、図３）
【考案の開示】
【考案が解決しようとする課題】
【０００４】
しかしながら、コイル２の端末を整流子片５に溶接または半田作業する際、樹脂コア材７が熱による変形やクラックなどが発生し、前記整流子片５が傾き、真円度不良などの問題があった。
【０００５】
また、マイクロコアレスモータの小型化に伴い、樹脂コア材７も小型化すると樹脂コア材７そのもののショートモールドなどの成形不良が課題であった。
【課題を解決するための手段】
【０００６】
上記課題を解決するために、請求項１に記載の本考案のマイクロコアレスモータの電機子１’は、整流子片５’を接点部とは反対の面に絶縁処理膜８を施し、樹脂コア材７を削除していることを特徴としている。
【考案の効果】
【０００７】
整流子片５’を接点部とは反対の面に絶縁処理膜８を施すことにより、整流子片５’とシャフト３’、金属ワッシャー４’が短絡しなくなり、樹脂コア材７が不要となり上記の課題を解決することができる。
【考案を実施するための最良の形態】
【０００８】
以下、図面により、本考案の実施の形態について説明する。なお、以下の各実施形態において、従来の技術の欄で説明した部材と同様の機能を有する部材については同じ符号を付し、説明を一部省略する。
【０００９】
図２は本実施形態にかかるマイクロコアレスモータの電機子図面を示す。シャフト３’に金属ワッシャー４’を圧入し、前記金属ワッシャー４’に整流子片５’を配置し、樹脂リング６’で圧入し、コイル２’を接着し、前記コイル２’の各端末をそれぞれ前記整流子片５’に溶接または半田作業等にて組み付けている。樹脂コア材を削除することにより、金属ワッシャー４’の厚みを従来の０．３ｍｍ程度から０．５〜１．０ｍｍ程度に厚くする事が出来、前記シャフト３’との圧入強度も十分確保出来るので、前記金属ワッシャー４’は黄銅等の安価な材料で構成出来る。
【００１０】
図３は本実施形態にかかる整流子片５’を示す図である。前記整流子片５’は、プレス成形する前のフープ材の片面にポリィミドやポリエステル樹脂等を塗布し、前記整流子片５’の接点部と反対の面が絶縁処理となるように、プレス加工を行う。前記絶縁樹脂は、絶縁効果のある材料なら限定されるものではない。
【００１１】
以上、本考案の実施の形態について説明したが、本考案は上述の実施形態のものに限定されるものではなく、本考案の趣旨を逸脱しない範囲で種々の変形が可能である。
【図面の簡単な説明】
【００１２】
【図１】従来技術の一実施形態にかかるマイクロコアレスモータの電機子を示す図である。
【図２】本考案の一実施形態にかかるマイクロコアレスモータの電機子を示す図である。
【図３】本考案の一実施形態にかかる整流子片を示す図である。
【図４】従来の電機子製造をする際に起きる不具合を示す図である
【符号の説明】
【００１３】
１  ，１’  マイクロコアレスモータの電機子
２  ，２’  コイル
３  ，３’  シャフト
４  ，４’  金属ワッシャー
５  ，５’  整流子片
６  ，６’  樹脂リング
７          樹脂コア材
８          絶縁処理膜
【図１】
0003122052.tif 000003
【図２】
0003122052.tif 000004
【図３】
0003122052.tif 000005
【図４】
0003122052.tif 000006
(57)【要約】【課題】  エンジンに供給される燃料の磁化ができるとともに、燃料パイプに対して装着性の優れた燃料磁化装置を提供する。【解決手段】  非磁性体のケースには、極性を同じくした一対のネオジウム磁石を保持させると共に両磁石の燃料パイプに対する面以外を磁性体で囲むようにし、燃料パイプに対する面には、燃料パイプとのがたつき防止のために弾性部材を採用した。また、非磁性体のケースは、燃料パイプの曲面に沿う形で湾曲面を有している。非磁性体のケースの両ケースは、燃料パイプに装着性を持たせるために片側を回転継ぎ手で連結し、もう片側には両ケースを閉じるだけで燃料パイプに装着できるようにした。また、閉じた両ケースは留め具により簡単に開口しない手段も採用した。【解決手段】図1【実用新案登録請求の範囲】
【請求項１】
非磁性体のケースに同極の一対の磁石を保持すると共に、両ネオジウム磁石の燃料パイプ接着面に弾性部材を設置して磁化装置本体とし、一対の磁化装置本体の弾性部材面で燃料パイプを挟持して磁力線が燃料に接触し易くしたことを特徴とする燃料磁化装置。
【請求項２】
装着性を持たせるために、片側を回転継ぎ手で連結した一対の非磁性体ケースにした請求項１記載の燃料磁化装置。
【請求項３】
非磁性体ケースにさらに装着性を持たせるために、開口側にケース留め具を設けた請求項１または請求項２記載の燃料磁化装置。
【考案の詳細な説明】
【技術分野】
【０００１】
本考案は、高性能のネオジウム磁石を利用した燃料磁化装置に関するものである。
【背景技術】
【０００２】
燃料パイプに強力なネオジウム磁石を取り付ける場合、磁力の強力さから燃料パイプに装着する際、たいへん梃子摺るのが実情である。
【考案の開示】
【考案が解決しようとする課題】
【０００３】
燃料パイプに燃料磁化装置を装着する場合に安全な装着を可能とする必要がある。
【０００４】
燃料パイプに燃料磁化装置を装着する場合に工具を必要とせず簡単な方法で装着を可能とする必要がある。
【課題を解決するための手段】
【０００５】
上記目的を達成するため本考案は、非磁性体のケースに同極の一対の磁石を保持すると共に、両ネオジウム磁石の燃料パイプ接着面に弾性部材を設置して磁化装置本体とし、一対の磁化装置本体の弾性部材面で燃料パイプを挟持して燃料パイプとのがたつきをなくすという手段を採用した。
【０００６】
装着性を持たせるために一対の非磁性体ケースの片側を回転継ぎ手で連結することも採用した。
【０００７】
非磁性体ケースにさらに装着性を持たせるために、開口側にケース留め具を設けたことも採用した。
【考案の効果】
【０００８】
燃料パイプに燃料磁化装置を装着する場合に、安全に且つ簡便な装着を可能とした。
【考案を実施するための最良の形態】
【０００９】
以下、本考案に係る燃料磁化装置を添付図面に従って説明する。
図１において、１は燃料磁化装置本体であって、燃料磁化装置上部と対向する一対の燃料磁化装置下部で燃料パイプを挟持するようにしたものである。この燃料磁化装置本体１において、２は磁性体でネオジウム磁石３を囲うように設置する。燃料磁化装置本体１に燃料パイプの外側曲面に応じた曲凹部４を設けて燃料パイプに装着しやすくしたものである。また、ネオジウム磁石３の底面に弾性部材を設置し燃料パイプとのがたつきをなくすようにしてある。燃料磁化装置本体１も燃料パイプに取り付け作業時の安全面からケースを湾曲面８に仕上げてある。
【００１０】
６は燃料磁化装置本体１において、一対の本体ケースを回転継ぎ手で連結させるものである。また、一方の開口側は燃料パイプを挟持するように装着した後、留め具７により連結されるようになっている。
【００１１】
上記構成の燃料磁化装置本体１は、一対で燃料パイプを挟持するように装着するものであるが、ネオジウム磁石が互いに反発力を生ずるようN極同士を対向させて燃料パイプを挟持し、両ケースの留め具７で締結するものである。このような配置にすることで強力な磁力線が燃料磁化装置１、１間に発生し、燃料パイプはこの磁力線の中を横切ることになって燃料パイプ中の流体は磁化される。この磁力線の磁化作用によって燃料が分子レベルで活性化し、他の電子等との結合力が強まって、完全燃焼を促すことになる。
【図面の簡単な説明】
【００１２】
【図１】本実施形態に係る燃料磁化装置の全体図である。
【図２】本実施形態に係る燃料磁化装置の断面図である。          イ）正面    ロ）背面
【図３】本実施形態に係る燃料磁化装置の分解図である。          イ）上部    ロ）下部
【符号の説明】
【００１３】
１：燃料磁化装置
２：磁性体
３：ネオジウム磁石
４：曲凹部
５：弾性部材
６：回転継ぎ手
７：留め具
８：湾曲面
【図１】
0003122044.tif 000002
【図２】
0003122044.tif 000003
【図３】
0003122044.tif 000004
(57)【要約】【課題】物品を収納して持ち運ぶこともでき、読み終わった新聞紙等をストックした場合に、周囲を紐で縛り付けること無く、提手を利用して閉鎖することが可能な提手付袋を提供すること。【解決手段】上端が開口した袋本体１と、袋本体１の上端部において、開口部１ａを挟んで対向した位置にそれぞれ装着された提手２とを備え、提手２の長手方向中間部に、幅方向全長に亘ってミシン目７を形成してある。【選択図】図１
0003122002.tif 000002
【実用新案登録請求の範囲】
【請求項１】
上端が開口した袋本体と、該袋本体の上端寄りにおいて、開口部を挟んで対向した位置にそれぞれ装着された提手とを備え、該提手の長手方向中間部に、幅方向全長に亘ってミシン目を形成したことを特徴とする提手付袋。
【請求項２】
前記提手の両端部を前記袋本体の外面に固定すると共に、中間部を外側下方へ折り返し、折り返し部分を前記袋本体の外面に弱接着剤を介して接着した請求項１に記載の提手付袋。
【考案の詳細な説明】
【技術分野】
【０００１】
本考案は、提手付袋に関する。
【背景技術】
【０００２】
近年、森林資源を無駄にしないために、読み終わった新聞や雑誌は資源ゴミとして回収し、再利用する機運が高まっている。
新聞紙や雑誌を回収するには、上端が開口した紙袋内に積み重ねておき、紙袋がいっぱいになったら開口部を閉じて回収するのが一般的である。紙袋の開口部を閉鎖するのに、粘着テープを用いると、そのまま再生処理を行うことができないので、従来は、新聞紙等が詰った紙袋の周囲を紐で縛っていた。
しかし、積み重ねた新聞紙等が崩れないよう紐で緩み無く縛るには、力やコツが必要であり、非常に面倒な作業であった。
【考案の開示】
【考案が解決しようとする課題】
【０００３】
本考案が解決しようとする課題は、物品を収納して持ち運ぶこともでき、読み終わった新聞紙等を内部にストックした場合に、周囲を紐で縛り付けること無く、提手を利用して閉鎖することが可能な提手付袋を提供することにある。
【課題を解決するための手段】
【０００４】
本考案の提手付袋は、上端が開口した袋本体と、該袋本体の上端寄りにおいて、開口部を挟んで対向した位置にそれぞれ装着された提手とを備え、該提手の長手方向中間部に、幅方向全長に亘ってミシン目を形成してある。
前記提手の両端部を前記袋本体の外面に固定すると共に、中間部を外側下方へ折り返し、折り返し部分を前記袋本体の外面に弱接着剤を介して接着しても良い。
【考案の効果】
【０００５】
請求項１に係る考案によれば、提手を連続した状態で握れば、物品を収納して持ち運ぶことができる。
また、袋本体内に新聞紙等を収納していっぱいになった場合は、提手をミシン目の部分から切断し、開口部を挟んで対向した提手どうしを結び止めることにより、袋本体の周囲を紐で縛ることなく簡単に開口部を閉鎖することが可能である。
さらに、提手にミシン目を形成するだけで、他の構成は通常の紙袋と同様なので、製造が容易でコストも低廉で済む。
請求項２に係る考案によれば、未使用の折り畳んだ状態では、提手が袋本体から突出しないので、運搬や収納の際に邪魔にならず、物品を持ち運ぶ際には簡単に提手を引き起こすことができる。
【考案を実施するための最良の形態】
【０００６】
以下、本考案の実施例を図面に基づいて詳細に説明する。
本考案の提手付袋は、図１及び図２に示すように、上端が開口した袋本体１と、袋本体１の上端寄りにおいて、上端の開口部１ａを挟んで対向した位置にそれぞれ装着された提手２とを備える。
袋本体１は、紙等を素材とし、下端は角底３が形成されて閉鎖され、両側は襞折りされている。
角底３の縦・横の長さは、四つ折りにした新聞紙や雑誌を平らに置くことができるように、Ａ４程度の寸法とするのが望ましい。
【０００７】
提手２は、紙等を素材とした平らな帯紐より成り、左右の脚部の上端間に握り部５を架設した略門形に折り曲げてある。また、提手２の長手方向中間部には幅方向全長に亘ってミシン目７が形成されている。
この提手２は、両端部（脚部４の下部）が袋本体の外面に比較的接着力のある接着剤を介して固定されている。
図１に示すように、提手２の袋本体１に対する固定部分２ａを除いた部分は外側下方へ折り返され、折り返し部分の先端両側（脚部４と握り部５との屈曲部分）が弱接着剤６を介して袋本体１の外面に接着されて、提手２が袋本体１の上端から突出しないようになっている。
【０００８】
提手付袋に物品を収納して持ち運ぶ時は、提手２の折り返し部分の先端を上方へ引き上げれば、弱接着剤６によって接着されている個所が簡単に剥がれ、図２に示すように、容易に提手２を起立させて、袋本体１の上端から突出させることができる。
また、提手付袋に新聞紙等をストックする場合は、開口部１ａから袋本体１内に新聞紙等を差し入れて角底３の上に積み重ねる。
新聞紙等がいっぱいになったら、図３に示すように、起立した提手２をミシン目７の部分から切断する。提手２は、物品を入れてぶら下げても切れないように、強靭な素材を用いているが、ミシン目７の部分から裂けば比較的容易に切断することができる。
次いで、図４に示すように、開口部１ａを挟んで対向した提手２の半部どうしを結び止め、袋本体１の開口部１ａを閉鎖する。
【図面の簡単な説明】
【０００９】
【図１】提手付袋の未使用時における平面図。
【図２】提手付袋の物品持ち運び時における斜視図。
【図３】提手を切断した状態における提手付袋の要部斜視図。
【図４】開口部を閉鎖した状態における提手付袋の要部斜視図。
【符号の説明】
【００１０】
１  袋本体
１ａ  開口部
２  提手
２ａ  固定部分
３  角底
４  脚部
５  握り部
６  弱接着剤
７  ミシン目
【図１】
0003122002.tif 000003
【図２】
0003122002.tif 000004
【図３】
0003122002.tif 000005
【図４】
0003122002.tif 000006
(57)【要約】【課題】アスピレータによる減圧脱気法で脱気処理された移動相液体の脱気効果の持続性を高める移動相液体容器を提供する。【解決手段】液体クロマトグラフの移動相液体容器において、繊毛６１を有する刷子状器具６を前記繊毛６１が移動相液体に浸漬される位置に装着する。これにより、溶解度が変化した場合に繊毛６１の表面に気泡を形成させ脱気を促進することになるので、脱気効果が従来よりも長く持続する。形成された気泡はオペレータが適宜振動を与えるなどの方法で除去すればよい。【選択図】          図１
0003122001.tif 000002
【実用新案登録請求の範囲】
【請求項１】
液体クロマトグラフにおける移動相液体を収容する移動相液体容器において、繊毛を有する刷子状器具を前記繊毛が内部の移動相液体に浸漬される位置に装着することを特徴とする移動相液体容器。
【考案の詳細な説明】
【技術分野】
【０００１】
本考案は、例えば液体クロマトグラフで用いられる移動相液体のリザーブタンクとして好適な移動相液体容器に関する。
【背景技術】
【０００２】
液体クロマトグラフでは移動相液体を脱気して使用する。これは、移動相液体中に溶存する空気等が気泡となってポンプの送液精度を低下させたり、検出器にノイズやベースライン変動などの悪影響をもたらすことを防止し、安定な分析を行うためである。脱気にはいくつかの方法があり、大別するとオンライン法とオフライン法に分けられる。オンライン法は、移動相液体を送液する過程で脱気する方法で、ヘリウムガスによるバブリング法や気液分離膜を用いる減圧膜脱気法が広く使用される。減圧膜脱気法とは、減圧下に置かれた気液分離膜で作られたチューブ内に移動相液体を通し、溶存気体をチューブの壁を透過させて排出する方法である（例えば、特許文献１参照）。これに対し、オフライン法は分析前に予め移動相液体を脱気しておく方法で、アスピレータによる減圧脱気法が最も簡便な方法としてよく用いられる。
【特許文献１】特開２０００−１０７５１０号公報
【考案の開示】
【考案が解決しようとする課題】
【０００３】
上記脱気法のうちヘリウムガスによるバブリング法はヘリウムガスを消費するので運転コストが掛かる。また、減圧膜脱気法は装置コストが高い。一方、アスピレータによる減圧脱気法は簡便でコストも掛からないが、脱気処理を終えた直後から空気の再溶解が起こるため、脱気効果が持続しない。
本考案はこのような事情に鑑みてなされたものであり、簡便なアスピレータによる減圧脱気法で処理された移動相液体の脱気効果の持続性を高める移動相液体容器を提供することを目的とする。
【課題を解決するための手段】
【０００４】
本考案は、上記課題を解決するために、液体クロマトグラフの移動相液体容器において、繊毛を有する刷子状器具を前記繊毛が移動相液体に浸漬される位置に装着する。これにより、繊毛の表面に気泡を形成させ脱気を促進することになるので、脱気効果が従来よりも長く持続する。
【考案の効果】
【０００５】
本考案は上記のように構成されているので、簡便でコストの掛からないオフライン法で脱気処理を行ってもその効果が長く持続する。
【考案を実施するための最良の形態】
【０００６】
本考案が提供する移動相液体容器の特徴は、繊毛を有する刷子状器具を容器内の液体に浸漬されるように装着した点にある。
従って、最良の形態の基本的な構成は、そのように構成された移動相液体容器である。
【実施例１】
【０００７】
図１に本考案の一実施例を示す。
同図において、１は移動相液体容器１０の主要構成体となる容器本体であり、その中に移動相液体２が満たされる。３は、液体クロマトグラフの送液ポンプ（図示しない）につながる送液チューブであり、その先端には固形異物の混入を防ぐサクションフィルタ３１が取り付けられている。４は容器本体１の蓋であり、前記の送液チューブ３がこれを貫通しており、また、通気孔４１がこの上に設けられている。６は、支柱６２に繊毛６１を付着して構成された刷子状器具であって、支柱６２の部分にて蓋４の裏に着脱可能に装着されている。移動相液体２が容器本体１に満たされているときは、繊毛６１は移動相液体２に浸漬された状態となる。刷子状器具６（繊毛６１を含む）の材質は液体クロマトグラフにおいて移動相として使用される一般的な有機溶剤（メタノール、アセトニトリルなど）に溶けないポリプロピレンやポリエチレンとする。
【０００８】
このように構成された本実施例装置は以下のように作用する。
一般に移動相液体中にガスが発生する原因は、外気温度の変化、または溶剤の混合によってもたらされるガスの溶解度変化である。液体中に溶解しているガスは何らかの原因で溶解度が変化すると存在状態が不安定になり、近傍にある物体の表面に気泡を形成しやすくなる性質がある。この性質を利用して、溶解度が変化した場合に繊毛６１の表面に気泡を形成させることで脱気を行う。形成された気泡はオペレータが適宜振動を与えるなどの方法で除去すればよい。
【０００９】
図２に本実施例装置の使用法手順の一例を示す。以下、図２に従って本実施例装置の使用法手順を記す。なお、以下の項目（１）、（２）…は図２における（１）、（２）…に対応する。
（１）容器本体１に移動相液体２として所定の混合比で例えば水とメタノールを入れ混合する。
（２）蓋４を被せ、通気孔４１とアスピレータ５を減圧用チューブ７で接続し、スターラ８で撹拌しながらアスピレータ５を作動させて減圧脱気を行う。
（３）脱気終了後、蓋４の裏面に刷子状器具６を取り付け、繊毛６１が液中に浸るようにする。
（４）送液ポンプ９を作動させて液体クロマトグラフ分析を行う。分析中に繊毛６１に気泡が付着したときは適宜振動を与えるなどの方法で除去する。
【００１０】
なお、刷子状器具６を蓋４の裏面に着脱する代わりに、刷子状器具６が固定された蓋４と刷子状器具６が付いていない蓋４とを用意しておいて交換するようにしてもよい。また、刷子状器具６は必ずしも蓋４に装着する必要はなく、容器本体１に装着する構成も可能である。
【産業上の利用可能性】
【００１１】
本考案は液体クロマトグラフに利用できる。
【図面の簡単な説明】
【００１２】
【図１】本考案の一実施例を示す図である。
【図２】本考案装置の使用手順を示す図である。
【符号の説明】
【００１３】
１  容器本体
２  移動相液体
３  送液チューブ
４  蓋
５  アスピレータ
６  刷子状器具
７  減圧用チューブ
８  スターラ
９  送液ポンプ
１０  移動相液体容器
３１  サクションフィルタ
４１  通気孔
６１  繊毛
６２  支柱
【図１】
0003122001.tif 000003
【図２】
0003122001.tif 000004